(57)【要約】【課題】浅い水位の水源においても吸水をすることができ、取り付けたホースの仰角が変化しても安定して吸水をすることができるストレーナ装置を提供する。【解決手段】ストレーナ装置１は、送水口２ａを有する送水管２と、支持部材３ｂ、４ｂと、吸水口を有する吸水部材と、上板６と下板８と側面開口５ａとを有する台座部材５と、を備える。送水管２と支持部材とは、送水口２ａが上下方向に回動するように連結機構によって連結する。連結機構は、送水管２と支持部材の内部空間を連通する連通口を内部に有する。支持部材は上板６の上部に、吸水部材は上板６の下部に、内部空間同士が連通するように固定される。吸水口は、下板８の上方に配置される。側面開口５ａは、吸水口を介して、送水口２ａと連通する。【選択図】図１
2016209803.tif 000002
【特許請求の範囲】
【請求項１】
送水口を先端部に有する送水管と、該送水管を支持する筒状の支持部材と、吸水口を下端部に有する筒状の吸水部材と、上板と下板と側面開口とを有する台座部材と、を備え、
前記送水管と前記支持部材とは、前記送水口が上下方向に回動するように連結機構によって連結し、
前記連結機構は、前記送水管と前記支持部材のそれぞれの内部空間を連通する連通口を内部に有し、
前記支持部材は前記上板の上部に、前記吸水部材は前記上板の下部に、それぞれの内部空間同士が連通するように固定され、
前記吸水口は、前記下板の上方に配置され、
前記側面開口は、前記吸水口と、前記吸水部材と前記支持部材のそれぞれの内部空間と、前記連結機構の連通口と、前記送水管の内部空間とを介して、前記送水口と連通する、
ことを特徴とするストレーナ装置。
【請求項２】
前記支持部材と前記吸水部材とが一体に形成され、
前記上板に形成された開口に前記吸水部材が挿入されている、
ことを特徴とする請求項１に記載のストレーナ装置。
【請求項３】
前記支持部材の下端部が前記上板の上面に固定され、
前記吸水部材の上端部が前記上板の下面に固定され、
前記支持部材と前記吸水部材の内部空間は、前記上板に形成された貫通口を介して連通する、
ことを特徴とする請求項１に記載のストレーナ装置。
【請求項４】
前記支持部材は側方に延伸するフランジ部を下端部の側面に有し、
前記フランジ部が前記上板の上面に当接する、
ことを特徴とする請求項１乃至３のいずれか１項に記載のストレーナ装置。
【請求項５】
前記送水管は、前記連通口を有する円筒形状の突起を両側面に備え、
前記支持部材は、側面に円孔を有するとともに前記送水管を挟んで備わり、
前記突起が前記円孔に挿入されることにより連結されている、
ことを特徴とする請求項１乃至４のいずれか１項に記載のストレーナ装置。
【請求項６】
前記台座部材は、前記側面開口を覆うストレーナを備える、
ことを特徴とする請求項１乃至５のいずれか１項に記載のストレーナ装置。
【発明の詳細な説明】
【技術分野】
【０００１】
本発明は、ストレーナ装置に関する。
【背景技術】
【０００２】
消防等のポンプの吸水に使用されるストレーナ装置は長円柱で、ホースが接続する接続部を端部に有し、吸水孔が全表面に配列されている。このストレーナ装置を使用して吸水をするためには吸水孔から空気を吸い込まないことが必要であり、ストレーナ装置を水没させることが必要となる。したがって、ストレーナ装置が水没しない浅い水位の水源では吸水をすることはできなかった。そこで、浅い水位の水源において吸水をするため様々なストレーナ装置が提案されている。
【０００３】
例えば特許文献１には、短円柱で円周面に吸水孔が形成されたストレーナ装置（消防ポンプ用吸水管ストレーナー）が開示されている。
【先行技術文献】
【特許文献】
【０００４】
【特許文献１】実開平６−４８８０７号公報
【発明の概要】
【発明が解決しようとする課題】
【０００５】
特許文献１に記載のストレーナ装置においては、円周面が水没しない水位の水源では吸水口が一部でも水面に出てしまうと、空気が吸い込まれ吸水をすることができない。また、ホースの取り付け金具がストレーナ装置の本体に固定されている。このため、取り付けたホースの垂直方向の角度が大きくなるとストレーナ装置が傾いて吸水孔が水面から出てしまい、吸水をすることができなくなる。したがって、水位の浅い水源において吸水をするストレーナ装置の観点からすると未だ十分ではない。
【０００６】
この発明はかかる現状に鑑みてなされたものであり、水位の浅い水源においてより好適に吸水をすることができるとともに、ホースの仰角が変化しても安定して吸水ができるストレーナ装置を提供することを目的とする。
【課題を解決するための手段】
【０００７】
上記目的を達成するため、本発明のストレーナ装置は、
送水口を先端部に有する送水管と、該送水管を支持する筒状の支持部材と、吸水口を下端部に有する筒状の吸水部材と、上板と下板と側面開口とを有する台座部材と、を備え、
前記送水管と前記支持部材とは、前記送水口が上下方向に回動するように連結機構によって連結し、
前記連結機構は、前記送水管と前記支持部材のそれぞれの内部空間を連通する連通口を内部に有し、
前記支持部材は前記上板の上部に、前記吸水部材は前記上板の下部に、それぞれの内部空間同士が連通するように固定され、
前記吸水口は、前記下板の上方に配置され、
前記側面開口は、前記吸水口と、前記吸水部材と前記支持部材のそれぞれの内部空間と、前記連結機構の連通口と、前記送水管の内部空間とを介して、前記送水口と連通することを特徴とする。
【０００８】
例えば、前記支持部材と前記吸水部材とが一体に形成され、
前記上板に形成された開口に前記吸水部材が挿入されている。
【０００９】
例えば、前記支持部材の下端部が前記上板の上面に固定され、
前記吸水部材の上端部が前記上板の下面に固定され、
前記支持部材と前記吸水部材の内部空間は、前記上板に形成された貫通口を介して連通する。
【００１０】
例えば、前記支持部材は側方に延伸するフランジ部を下端部の側面に有し、
前記フランジ部が前記上板の上面に当接する。
【００１１】
例えば、前記送水管は、前記連通口を有する円筒形状の突起を両側面に備え、
前記支持部材は、側面に円孔を有するとともに前記送水管を挟んで備わり、
前記突起が前記円孔に挿入されることにより連結されている。
【００１２】
例えば、前記台座部材は、前記側面開口を覆うストレーナを備える。
【発明の効果】
【００１３】
本発明に係るストレーナ装置によれば、水底に載置された下板の上方に吸水口が配置されるため、吸水口は水底の近傍に配置され、浅い水位の水源でもより好適に吸水をすることができる。また、送水管と支持部材とは、送水口が上下方向に回動するように連結機構によって連結する。そのため、ホースの仰角が変動しても送水口が上下方向に回動し、吸水口が傾かず安定して吸水をすることができる。
【図面の簡単な説明】
【００１４】
【図１】本発明の実施形態の一例に係るストレーナ装置の斜視図である。
【図２】本発明の実施形態の一例に係る送水管の斜視図である。
【図３】本発明の実施形態の一例に係る角筒部材の斜視図である。
【図４】本発明の実施形態の一例に係るストレーナ装置の正面図である。
【図５】本発明の実施形態の一例に係るストレーナ装置の吸水状態を示す側面図である。
【発明を実施するための形態】
【００１５】
以下、本発明を実施するための最良の形態を、図面を参照しながら説明する。
【００１６】
図１に示すように、本発明の実施形態に係るストレーナ装置１は、送水管２と、角筒部材３、４と、台座部材５とから構成される。
【００１７】
図２に示すように、送水管２は、一方の先端に送水口２ａが形成され、他方の先端が閉口された円筒部材である。送水口２ａには、消防用ホースが容易に取り付けられるように、ナット２ｂがスイベル式に取り付けられている。ナット２ｂの内周面にはネジが形成され、消防用ホースの結合金具と螺合するようになっている。なお、送水管２とナット２ｂの隙間にはパッキンが嵌め込まれ、水が漏れないようになっている。
【００１８】
また、送水管２の他方の先端近傍の両側面には円柱形状の突起２ｃ、２ｄが形成されている。そして、突起２ｃ、２ｄには、それぞれを貫通する連通口２ｅ、２ｆが形成されている。送水管２の内部は中空であるため、送水口２ａと連通口２ｅ、２ｆとは連通している。
【００１９】
図１に戻り、角筒部材３、４は、送水管２と連結し、水源から吸水して送水管２に送水をする部材である。なお、角筒部材３、４は、同じ形状の部材を左右対称に配置したものであるため、角筒部材３を詳細に説明し角筒部材４の説明は省略する。
【００２０】
図３に示すように、角筒部材３は、上端が閉口された筒状部材であり、上部の支持部３ｂと下部の吸水部３ｃが一体に形成されている。また、支持部３ｂの下端部側面にはフランジ部３ａが形成され、吸水部３ｃの下端には吸水口３ｄが形成されている。
【００２１】
支持部３ｂの上端は蒲鉾状に形成され、図１と図３に示すように、支持部３ｂの一対の側面３ｅ、３ｆは矩形と半円とを繋ぎ合わせた形状と成っている。側面３ｆには円孔３ｇが形成されている。円孔３ｇには図２に示す送水管２の突起２ｃが結合する。同様に、角筒部材４の円孔４ｇには送水管２の突起２ｄが結合する。突起２ｃと円孔３ｇ、突起２ｄと円孔４ｇが結合することで、送水管２と角筒部材３、４とは、送水口２ａが上下方向に回動するように連結している。また、角筒部材３の内部は中空に形成され、円孔３ｇと吸水口３ｄは連通している。したがって、円孔３ｇ、４ｇに結合された突起２ｃ、２ｄに形成されている連通口２ｅ、２ｆを介して、吸水口３ｄ、４ｄは送水口２ａと連通する。なお、突起２ｃと円孔３ｇ、突起２ｄと円孔４ｇの隙間にはパッキンが嵌め込まれ、水が漏れないようになっている。
【００２２】
図１に戻り、台座部材５は、上板６と、柱部材７ａ〜７ｄと、下板８とから形成される。上板６は矩形の平板である。角筒部材３の吸水部３ｃと角筒部材４の吸水部４ｃのそれぞれが挿入する２つの開口（図示せず）が上板６に形成されている。角筒部材３、４のフランジ３ａ、４ａは上板６の上面と当接し、角筒部材３、４は上板６にネジ（図示せず）により固定されている。また、上板６の下面の四隅には、下方に延伸する柱部材７ａ、７ｂ、７ｃ、７ｄがネジ（図示せず）により固定されている。
【００２３】
柱部材７ａ、７ｂ、７ｃ、７ｄは同一の長さの棒部材である（図４参照）。柱部材７ａ、７ｂ、７ｃ、７ｄの下端部は、上板６と同一形状の平板である下板８にネジ（図示せず）により固定されている。したがって、図４に示すように、上板６と下板８の間は柱部材７ａ、７ｂ、７ｃ、７ｄによって空間が形成され、台座部材５には、側面開口５ａに形成されている。
【００２４】
また、柱部材７ａ、７ｂ、７ｃ、７ｄの長さが、上板６の下面から下板８の上面までの距離となる。そして、上板６の下面から吸水部３ｃ、４ｃの吸水口３ｄ、４ｄまでの距離Ｄは、柱部材７ａ、７ｂ、７ｃ、７ｄの長さより短く形成されている。そのため、吸水口３ｄ、４ｄは、上板６と下板８の間に形成された空間内であって下板８の上方に配置される。また、上板６と下板８の間に形成された空間の側面は側面開口５ａを形成している。したがって、吸水口３ｄ、４ｄは、側面開口５ａと連通する。また、上記の通り吸水口３ｄ、４ｄは送水口２ａと連通する。したがって、側面開口５ａと送水口２ａは連通する。なお、上板６と下板８の外周には、側面開口５ａを覆うように網状のストレーナ９が貼り付けられている。
【００２５】
なお、ストレーナ装置１は、金属により形成され、特に、水によって錆びにくい金属、例えばアルミニウムやステンレス鋼が好適である。
【００２６】
次に、本実施形態に係るストレーナ装置１を用いて、水源から吸水しホースへ送水をする動作について、以下に説明する。
【００２７】
図５に示すように、消防用ホースＨの結合金具Ｃとナット２ｂのネジとを螺合し、消防用ホースＨを送水管２に取り付ける。そして、ストレーナ装置１を水源Ｗに設置する。ストレーナ装置１は上記のように金属部品によって構成されているため水底Ｂに沈み、ストレーナ装置１の下部に備わる下板８が水底Ｂに載置される。また、上記のように吸水口３ｄ、４ｄは、下板８の上方に配置されている。したがって、吸水口３ｄ、４ｄは、水底Ｂの近傍に配置され、水位が浅い水源Ｗでも水没する。
【００２８】
そして、消防ホースＨに取り付けたポンプを作動させて、台座部材５の側面の開口から水を吸引する。台座部材５の側面の開口から吸引された水は、吸水口３ｄ、４ｄと、角筒部材３、４の中空部と、連通口２ｅ、２ｆと、送水管２の中空部と、を通過して送水口２ａから消防ホースＨに送出される。側面開口５ａはストレーナ９により覆われているため、大きな異物が吸引されない。また、吸水口３ｄ、４ｄの下方は下板８で覆われているため、水底Ｂが土泥であっても土泥を吸い込まない。
【００２９】
また、吸水時に吸水口３ｄ、４ｄから空気が吸い込まれると吸水が停止してしまう。しかし、本実施形態に係るストレーナ装置１は、上記のとおり水底Ｂの近傍に吸水口３ｄ、４ｄが配置されているため、水位が浅い場合でも吸水口３ｄ、４ｄが水没し、空気が吸い込まれることなく吸水をすることができる。
【００３０】
また、送水管２と角筒部材３、４とは、送水管２の突起２ｃ、２ｄが角筒部材３、４の円孔３ｇ、４ｇに結合することにより、送水口２ａが上下方向に回動するよう連結している。そのため、送水管２に取り付けた消防用ホースＨの仰角が変化しても送水口２ａを上下方向に回動できるため、吸水口３ｄ、４ｄは傾かず安定して吸水することができる。
【００３１】
以上、本発明に係る実施形態について説明したが、具体的な構成はこの実施形態に限られるものではなく、本発明の要旨を逸脱しない範囲で、構成を適宜変更（構成要素の削除も含む）することが可能である。
【００３２】
上記実施形態では、送水管２は、一方の先端に送水口２ａが形成されているとしたが、先端でなくてもその付近で機能を果たせるならその付近を含む先端部であってもよい。また、吸水部３ｃの下端に吸水口３ｄが形成されているとしたが、下端でなくてもその付近で機能を果たせるならその付近を含む下端部であってもよい。
【００３３】
また、上記実施形態では、消防用ホースＨの結合金具Ｃのネジを螺合できるように、ネジが形成されたナット２ｂが吸水口２ａに取り付けてあるがこれは一例である。例えば、消防用ホースの差込式結合金具を差し込めるように送水口２ａに差込式結合金具を設けてもよい。
【００３４】
また、上記実施形態では、２つの角筒部材３、４に送水管２を連結したが、これは一例である。例えば、角筒部材３、４のいずれか一方のみに送水管２を連結してもよい。なお、この場合の送水管２には、突起２ｃと連通口２ｅ若しくは突起２ｄと連通口２ｆのいずれか一方のみを形成すればよい。
【００３５】
また、上記実施形態では、送水管２に突起２ｃ、２ｄ、角筒部材３、４に円孔３ｇ、４ｇがそれぞれ形成され、各々が結合しているが、これは一例である。例えば、角筒部材３に突起、送水管２に円孔がそれぞれ形成され、各々を結合してもよい。
【００３６】
また、上記実施形態では、角筒部材３、４の側面にフランジ部３ａ、４ａが形成されているが、これは一例である。例えば、角筒部材３、４の側面にフランジ部３ａ、４ａを形成するのではなく、支持部３ｂ、４ｂの横断面積を上板６の開口の面積より大きくし、支持部３ｂ、４ｂの下端部が上板６の上面と当接してもよい。
【００３７】
また、上記実施形態では、角筒部材３の吸水部３ｃと角筒部材４の吸水部４ｃのそれぞれが挿入される２つの開口（図示せず）は、上板６の中央に形成された四方を上板６が囲繞するロ字形状の開口であるが、これは一例である。例えば、当該２つの開口（図示せず）を上板６の端部に形成してもよい。この場合、当該開口は、上板６が三方を囲み一方を開放するコ字形状となる。また、角筒部材３、４の側面に横溝を形成し、上板６のコ字形状の開口の端縁を差し込んで角筒部材３、４を上板６に固定してもよい。
【００３８】
また、上記実施形態では、角筒部材３、４は、上部を支持部３ｂ、４ｂ、下部を吸水部３ｃ、４ｃとして一体に形成されているが、これは一例である。例えば、支持部３ｂ、４ｂを支持部材、吸水部３ｃ、４ｃを吸水部材として別体に形成し、上板６の上面に支持部材、上板６の下面に吸水部材をそれぞれネジで固定し、支持部材と吸水部材の内部空間を上板６に形成された貫通口を介して連通してもよい。また、支持部材の下端部の側面にフランジ部を形成し、当該フランジ部を上板６の上面に当接させてもよい。
【００３９】
また、上記実施形態では、異物の侵入を防止するためのストレーナ９が上板６と下板８の外周に沿って側面開口５ａを覆うように貼り付けられているがこれは一例である。例えば、吸水口３ｄ、４ｄの先端部に吸水口３ｄ、４ｄを覆うストレーナが貼り付けられていてもよい。
【００４０】
また、上記実施形態では、台座部材５は、上板６と柱部材７ａ〜７ｄと下板８とが組み付けられることにより形成したがこれは一例である。例えば、鋳造によってこれらを一体に形成してもよい。
【００４１】
また、上記実施形態では、上板６と下板８を矩形の平板としたが、これは一例である。例えば、上板６と下板８を円形の平板にしてもよい。また、上記実施形態では、上板６と下板８を同一形状としたが、これは一例である。例えば、上板６が矩形で下板８を円形にしてもよい。また、上記実施形態では、上板６と下板８が同一の表面積となるようにしたが、これは一例である。例えば、下板８の表面積を上板６の表面積より大きくしてもよい。
【００４２】
また、上記実施形態では、ストレーナ装置１は金属により形成されているが、これは一例である。水に沈み、錆びにくく剛性を備える材料、例えばセラミックとしてもよい。
【符号の説明】
【００４３】
１…ストレーナ装置
２…送水管
２ａ…送水口
２ｃ、２ｄ…突起
２ｅ、２ｆ…連通口
３、４…角筒部材
３ａ、４ａ…フランジ部
３ｂ、４ｂ…支持部
３ｃ、４ｃ…吸水部
３ｄ、４ｄ…吸水口
３ｅ、３ｆ、４ｅ、４ｆ…側面
３ｇ、４ｇ…円孔
５…台座部材
５ａ…側面開口
６…上板
７ａ、７ｂ、７ｃ、７ｄ…柱部材
８…下板
９…ストレーナ
Ｄ…距離
【図１】
2016209803.tif 000003
【図２】
2016209803.tif 000004
【図３】
2016209803.tif 000005
【図４】
2016209803.tif 000006
【図５】
2016209803.tif 000007